(57)【要約】【課題】運動不足解消を促進するツールとして活用する。【解決手段】計測部１２０が、情報処理装置１１０を所持している利用者の歩数を計測し、制御部１４０が、所定の期間における計測部１２０が計測した歩数と、記憶部１３０が記憶する閾値とに基づいて、機能部１１０が具備する機能の動作を制御する。【選択図】図１
2013045221.tif 000002
【特許請求の範囲】
【請求項１】
情報処理装置であって、
所定の機能を具備する機能部と、
当該情報処理装置を所持している利用者の歩数を計測する計測部と、
閾値を記憶する記憶部と、
所定の期間における前記歩数と、前記閾値とに基づいて、前記機能部が具備する機能の動作を制御する制御部とを有する情報処理装置。
【請求項２】
請求項１に記載の情報処理装置において、
前記機能部は、複数の機能を具備し、
前記記憶部は、前記複数の機能それぞれに応じた前記閾値を記憶し、
前記制御部は、前記歩数と、前記それぞれの閾値とに基づいて、該閾値に応じた前記機能の動作を制御することを特徴とする情報処理装置。
【請求項３】
請求項１または請求項２に記載の情報処理装置において、
前記記憶部は、前記機能部が複数の機能を具備する場合、該複数の機能それぞれに応じた前記期間を記憶し、
前記制御部は、前記機能に応じた期間における前記歩数と、該機能に応じた閾値とに基づいて、該機能の動作を制御することを特徴とする情報処理装置。
【請求項４】
請求項１乃至３のいずれか１項に記載の情報処理装置において、
前記記憶部は、前記期間の開始時刻と終了時刻とを記憶することを特徴とする情報処理装置。
【請求項５】
請求項１乃至４のいずれか１項に記載の情報処理装置において、
前記制御部は、前記計測部が前日に計測した歩数と、前記閾値とに基づいて、前記機能部が具備する機能の動作を制御することを特徴とする情報処理装置。
【請求項６】
請求項１乃至５のいずれか１項に記載の情報処理装置において、
前記制御部は、前記歩数が前記閾値未満である場合、前記機能の動作を制限することを特徴とする情報処理装置。
【請求項７】
請求項１乃至６のいずれか１項に記載の情報処理装置において、
前記制御部は、前記機能の動作を制限している状態で、前記歩数が前記閾値以上になった場合、該機能の動作の制限を解除することを特徴とする情報処理装置。
【請求項８】
請求項１乃至７のいずれか１項に記載の情報処理装置において、
前記制御部は、前記機能の動作を制限している状態で、前記計測部が前日に計測した歩数と当日計測している歩数とを加算した歩数が前記閾値以上になった場合、該機能の動作の制限を解除することを特徴とする情報処理装置。
【請求項９】
情報処理装置における情報処理方法であって、
当該情報処理装置を所持している利用者の歩数を計測する処理と、
所定の期間における前記歩数と、所定の閾値とに基づいて、当該当該情報処理装置が具備する機能の動作を制御する処理とを行う情報処理方法。
【請求項１０】
情報処理装置に、
当該情報処理装置を所持している利用者の歩数を計測する手順と、
所定の期間における前記歩数と、所定の閾値とに基づいて、当該当該情報処理装置が具備する機能の動作を制御する手順とを実行させるためのプログラム。
【発明の詳細な説明】
【技術分野】
【０００１】
本発明は、情報を処理する情報処理装置、情報処理方法およびプログラムに関する。
【背景技術】
【０００２】
近年、携帯電話等の携帯情報端末（情報処理装置）や、それらで利用できるサービスが発達し、人々は居ながらにして様々なことが行えるようになってきている。
【０００３】
このことは、現代人が運動不足となっている原因の１つにもなっており、この運動不足が深刻な問題となりつつある。運動不足解消のために使用されるツールとして歩数計が挙げられ、近年では、歩数計機能を持つ携帯情報端末も普及し始めている。
【０００４】
さらに、計測された歩数情報を、携帯端末の個人認証に利用する技術が考えられている（例えば、特許文献１参照。）。
【０００５】
また、歩数が目標値に達したら、告知音やＬＣＤ表示で、利用者へ通知する技術が考えられている（例えば、特許文献２参照。）。
【先行技術文献】
【特許文献】
【０００６】
【特許文献１】特開２０１０−０３３４４５号公報
【特許文献２】特許第３２０９２０７号公報
【発明の概要】
【発明が解決しようとする課題】
【０００７】
しかしながら、上述した技術においては、歩数を確認・通知するのが主目的となっており、目標を達成できなくても、利用者は別段不便を感じるようなことはない。そのため、運動不足解消を促進するツールとしての活用は十分にはされていないという問題点がある。
【０００８】
本発明の目的は、上述した課題を解決する情報処理装置、情報処理方法およびプログラムを提供することである。
【課題を解決するための手段】
【０００９】
本発明の情報処理装置は、
情報処理装置であって、
所定の機能を具備する機能部と、
当該情報処理装置を所持している利用者の歩数を計測する計測部と、
閾値を記憶する記憶部と、
所定の期間における前記歩数と、前記閾値とに基づいて、前記機能部が具備する機能の動作を制御する制御部とを有する。
【００１０】
また、本発明の情報処理方法は、
情報処理装置における情報処理方法であって、
当該情報処理装置を所持している利用者の歩数を計測する処理と、
所定の期間における前記歩数と、所定の閾値とに基づいて、当該当該情報処理装置が具備する機能の動作を制御する処理とを行う。
【００１１】
また、本発明のプログラムは、
情報処理装置に実行させるためのプログラムであって、
当該情報処理装置を所持している利用者の歩数を計測する手順と、
所定の期間における前記歩数と、所定の閾値とに基づいて、当該当該情報処理装置が具備する機能の動作を制御する手順とを実行させる。
【発明の効果】
【００１２】
以上説明したように、本発明においては、運動不足解消を促進するツールとして活用することができる。
【図面の簡単な説明】
【００１３】
【図１】本発明の情報処理装置の実施の一形態を示す図である。
【図２】図１に示した機能部に具備されている機能の一例を示す図である。
【図３】図１に示した記憶部に記憶された閾値の第１の例を示す図である。
【図４】図１に示した記憶部に記憶された閾値の第２の例を示す図である。
【図５】図１に示した記憶部に記憶された閾値の第３の例を示す図である。
【図６】図１に示した記憶部に記憶された開始時刻および終了時刻の一例を示すである。
【図７】図１に示した情報処理装置における情報処理方法のうち、機能を使用不可能とする処理を説明するためのフローチャートである。
【図８】図１に示した情報処理装置における情報処理方法のうち、制限されている機能の制限を解除する処理の第１の例を説明するためのフローチャートである。
【図９】図１に示した情報処理装置における情報処理方法のうち、制限されている機能の制限を解除する処理の第２の例を説明するためのフローチャートである。
【発明を実施するための形態】
【００１４】
以下に、本発明の実施の形態について図面を参照して説明する。
【００１５】
図１は、本発明の情報処理装置の実施の一形態を示す図である。
【００１６】
本形態における情報処理装置１００には図１に示すように、機能部１１０と、計測部１２０と、記憶部１３０と、制御部１４０とが設けられている。なお、図１には、情報処理装置１００が有する構成要素のうち、本発明に関わる構成要素のみを示した。また、情報処理装置１００は、携帯電話機、携帯端末、タブレット型やノート型のＰＣ（Ｐｅｒｓｏｎａｌ  Ｃｏｍｐｕｔｅｒ）、スマートフォン、ＰＤＡ（Ｐｅｒｓｏｎａｌ  Ｄｉｇｉｔａｌ  Ａｓｓｉｓｔａｎｔｓ）、ゲーム機等の、利用者が所持（持ち運び）可能な装置に適用することが可能である。
【００１７】
機能部１１０は、情報処理装置１００内で動作する所定の機能を具備する。
【００１８】
図２は、図１に示した機能部１１０に具備されている機能の一例を示す図である。
【００１９】
図１に示した機能部１１０には図２に示すように、通話機能１１１と、メール機能１１２と、ＴＶ電話機能１１３と、ブラウザ機能１１４と、カメラ機能１１５と、ゲーム機能１１６と、音楽再生機能１１７と、目覚まし機能１１８と、ＧＰＳ機能１１９とが具備されている。
【００２０】
通話機能１１１は、音声の送受信を行う電話の機能である。
【００２１】
メール機能１１２は、電子メールの作成、表示、編集、送受信を行う機能である。
【００２２】
ＴＶ電話機能１１３は、テレビ電話を行う機能である。
【００２３】
ブラウザ機能１１４は、ブラウザを起動し、インターネットへ接続して、接続したサイト（サーバ）等との間で情報の送受信を行う機能である。
【００２４】
カメラ機能１１５は、撮影タイミングを設定し、撮影をし、明るさや色調、画角サイズ等を調整して撮像データを取得する。また、カメラ機能１１５は、取得した撮像データについて、サイズ変換、フォーマット変換、圧縮処理、撮像データの保存・表示等を行う。
【００２５】
ゲーム機能１１６は、ゲーム用ソフトウェアを起動し、ゲームを行うための機能である。
【００２６】
音楽再生機能１１７は、あらかじめ保存されている音楽データや、ネットワーク等からダウンロードした音楽データを再生する。
【００２７】
目覚まし機能１１８は、設定された時刻にアラームを鳴らす機能である。
【００２８】
ＧＰＳ機能１１９は、ＧＰＳ（Ｇｌｏｂａｌ  Ｐｏｓｉｔｉｏｎｉｎｇ  Ｓｙｓｔｅｍ）を用いて、情報処理装置１００の位置を示す位置情報をＧＰＳ衛星（不図示）から取得する。
【００２９】
なお、図２に示した各機能は一例であり、それ以外の機能が機能部１１０に具備されていても良い。
【００３０】
計測部１２０は、情報処理装置１００を所持している利用者の歩数を計測（カウント）する。つまり、計測部１２０は、一般的に利用されている「歩数計」の役割を担う。また、計測部１２０は、計測した歩数を制御部１４０へ出力する。
【００３１】
記憶部１３０は、所定の閾値を記憶する。
【００３２】
図３は、図１に示した記憶部１３０に記憶された閾値の第１の例を示す図である。
【００３３】
図１に示した記憶部１３０には図３に示すように、閾値として歩数目標値が記憶されている。これは、利用者が情報処理装置１００の外部から、ボタンキー等の入力手段を操作することで入力されて記憶される。
【００３４】
また、記憶部１３０は、機能部１１０に具備された機能ごとに、その機能に応じた閾値を記憶するものであっても良い。
【００３５】
図４は、図１に示した記憶部１３０に記憶された閾値の第２の例を示す図である。
【００３６】
図１に示した記憶部１３０には図４に示すように、機能部１１０に具備された機能ごとに閾値として歩数目標値が記憶されている。
【００３７】
例えば、図４に示すように、３つの機能（制限機能）それぞれに対して、閾値となる歩数目標値が記憶されている。これは、利用者が情報処理装置１００の外部から、ボタンキー等の入力手段を操作することで入力されて記憶される。
【００３８】
制御部１４０は、所定の期間における計測部１２０から出力されてきた歩数と、記憶部１３０に記憶された閾値とに基づいて、機能部１１０が具備する機能の動作を制御する。
【００３９】
ここで、制御とは、機能の動作を制限したり、制限されている機能の動作の制限を解除したりすることである。
【００４０】
また、機能の制限とは、例えば、当該機能を使用不可能にすることや、使用できる機能範囲を縮小する（例えば、メール機能１１２では、電子メールの作成のみや、受信のみ、送信のみ）こと等である。
【００４１】
また、ここで動作の制限をする機能とは、上述したような、使えないと利用者がある程度困るような機能を想定する。また、上述した機能のうち、通話機能１１１やメール機能１１２など最低限、緊急時の連絡手段として必要な機能については、利用者が選択可能なものとしたり、機能の一部のみを制限するものとしたりするものが好ましい。
【００４２】
例えば、図３に示したような閾値が記憶部１３０に記憶されている場合、所定の期間（例えば、１日間）における計測部１２０から出力されてきた歩数が、１万歩未満であれば、制御部１４０は、機能部１１０が具備する機能の動作を制限する。
【００４３】
また、例えば、図４に示したような閾値が記憶部１３０に記憶されている場合、制御部１４０は、所定の期間（例えば、１日間）における計測部１２０から出力されてきた歩数が、８千歩未満であれば、機能部１１０が具備するブラウザ機能、カメラ機能およびゲーム機能の動作を制限する。また、制御部１４０は、所定の期間（例えば、１日間）における計測部１２０から出力されてきた歩数が、８千歩以上１万歩未満であれば、機能部１１０が具備するカメラ機能およびゲーム機能の動作を制限する。また、制御部１４０は、所定の期間（例えば、１日間）における計測部１２０から出力されてきた歩数が、１万歩以上１万５千歩未満であれば、機能部１１０が具備するゲーム機能の動作を制限する。また、制御部１４０は、所定の期間（例えば、１日間）における計測部１２０から出力されてきた歩数が、１万５千歩以上であれば、機能部１１０が具備する機能の動作を制限することはない。
【００４４】
上述した所定の期間である１日間を「前日の１日間」とする場合、動作の制限を受けるのは、その次の日（翌日）である当日となる。なお、動作の制限を受ける日を設定できるものであっても良い。例えば、利用者が、５日後や、１週間後を外部から設定し、設定された日に制限を受けるものであっても良い。
【００４５】
また、上述した「所定の期間」を機能ごとに設定して、記憶部１３０に記憶しておくものであっても良い。
【００４６】
図５は、図１に示した記憶部１３０に記憶された閾値の第３の例を示す図である。
【００４７】
図１に示した記憶部１３０には図５に示すように、機能部１１０に具備された機能ごとに「所定の期間」を設定して、期間が設定された機能ごとに閾値として歩数目標値が記憶されている。
【００４８】
このように、所定の期間が機能ごとに設定されている場合、制御部１４０は、機能に応じた期間における歩数と、その機能に応じた閾値とに基づいて、その機能の動作を制御する。
【００４９】
例えば、図５に示したような閾値が記憶部１３０に記憶されている場合、制御部１４０は、１日間における計測部１２０から出力されてきた歩数が、８千歩未満であれば、機能部１１０が具備するブラウザ機能を制限する。また、制御部１４０は、１週間における計測部１２０から出力されてきた歩数が、合計７万歩未満であれば、機能部１１０が具備するカメラ機能の動作を制限する。また、制御部１４０は、１ヶ月間における計測部１２０から出力されてきた歩数が、合計４５万歩未満であれば、機能部１１０が具備するゲーム機能の動作を制限する。
【００５０】
このように制御部１４０は、所定の期間における歩数が記憶部１３０に記憶されている閾値未満である場合、機能部１１０が具備する機能を制限する。
【００５１】
また、例えば、計測部１２０が１日単位で歩数を計測する場合、その計測を開始する時刻（開始時刻）と、その計測を終了する時刻（終了時刻）とが、あらかじめ記憶部１３０に記憶されているものであっても良い。
【００５２】
図６は、図１に示した記憶部１３０に記憶された開始時刻および終了時刻の一例を示すである。
【００５３】
図１に示した記憶部１３０には図６に示すように、「開始時刻」と「終了時刻」とが記憶されている。例えば、図６に示すように、開始時刻が「ＡＭ５時」と設定され、終了時刻が「ＰＭ１２時」と設定されている場合、午前５時から午後１２時までに計測部１２０が計測した歩数が、その日の歩数となり、制御部１４０が、その歩数と記憶部１３０に記憶されている閾値とを比較する。ここで、例えば、深夜に帰宅する場合など、途中から翌日分の歩数としてカウントされるのは不便であるため、午前３時や午前４時等の一般的に睡眠時間帯にあたる時刻を、日の切り替え時刻（開始時刻や終了時刻）として設定可能なようにするものであっても良い。また、日の切り替え時刻になった時に歩行中であった場合は、日の切り替えを保留し、所定の時間以上の間歩行状態が検出されなくなったら（計測部１２０が歩数をカウントしなくなったら）、切り替えを行うようにしても良い。
【００５４】
なお、所定の期間、計測部１２０が計測した歩数は、記憶部１３０に記憶されることは言うまでもない。
【００５５】
また、切り替え時刻および歩数目標値（閾値）は、平日と休日とに分けたり、曜日ごとに分けたりして、設定可能なようにしても良い。
【００５６】
以下に、本形態における情報処理方法について説明する。まずは、本形態における情報処理方法のうち、機能を使用不可能とする処理について説明する。
【００５７】
図７は、図１に示した情報処理装置１００における情報処理方法のうち、機能を使用不可能とする処理を説明するためのフローチャートである。
【００５８】
まず、情報処理装置１００を所持する利用者の、情報処理装置１００に対する操作を、機能部１１０が検出したら、前日の１日間に計測部１２０が計測した歩数が、記憶部１３０に記憶されている歩数目標値（閾値）以上かどうかを制御部１４０が判定する（ステップＳ１）。
【００５９】
前日の１日間に計測部１２０が計測した歩数が、記憶部１３０に記憶されている歩数目標値（閾値）以上ではない、つまり、前日の１日間に計測部１２０が計測した歩数が、記憶部１３０に記憶されている歩数目標値（閾値）未満である場合、制御部１４０が、機能部１１０の所定の機能の動作を制限し、当該機能を使用不可とする（ステップＳ２）。このとき、制限される機能が、閾値や期間と対応付けられて記憶部１３０に記憶されている場合、制御部１４０は、その閾値や期間に応じた機能の動作を制限する。
【００６０】
一方、前日の１日間に計測部１２０が計測した歩数が、記憶部１３０に記憶されている歩数目標値（閾値）以上である場合、制御部１４０は、機能部１１０の機能の動作の制限を行わない。
【００６１】
次に、本形態における情報処理方法のうち、制限されている機能の制限を解除する処理について説明する。
【００６２】
図８は、図１に示した情報処理装置１００における情報処理方法のうち、制限されている機能の制限を解除する処理の第１の例を説明するためのフローチャートである。
【００６３】
まず、情報処理装置１００を所持する利用者の、情報処理装置１００に対する操作を、機能部１１０が検出したら、制御部１４０が、その時点で、機能部１１０に具備された機能の動作を制限しているかどうかを判定する（ステップＳ１１）。この機能の動作制限は、前日に計測された歩数に基づくものや、あらかじめ設定された機能の制限に基づくものである。
【００６４】
制御部１４０が、機能の動作を制限している場合、当日に計測部１２０が計測した歩数が、記憶部１３０に記憶されている歩数目標値（閾値）以上かどうかを制御部１４０が判定する（ステップＳ１２）。
【００６５】
当日に計測部１２０が計測した歩数が、記憶部１３０に記憶されている歩数目標値（閾値）以上である場合、現在制限されている機能の動作の制限を制御部１４０が解除する（ステップＳ１３）。例えば、ブラウザ機能が制限されている状態で、当日に計測部１２０が計測した歩数が、ブラウザ機能に応じた閾値以上である場合、制御部１４０は、ブラウザ機能の動作の制限を解除する。ここで、制限の解除とは、制御部１４０が制限を行わない状態に設定することを言う。必要であれば、これらの状態をメモリ上に記憶して管理する。
【００６６】
また、図４に示したように、記憶部１３０に、機能部１１０に具備された機能ごとに異なる歩数目標値が記憶されている場合、計測部１２０が計測した歩数がそれぞれの歩数目標値以上となる度に、それに応じた機能の制限が解除されていくものであっても良い。例えば、すべての機能の動作が制限されている状態で、計測部１２０が計測した歩数が８千歩以上となったときに、制御部１４０はブラウザ機能の動作の制限を解除し、計測部１２０が計測した歩数が１万歩以上となったときに、制御部１４０はカメラ機能の動作の制限を解除するものであっても良い。
【００６７】
一方、ステップＳ１１にて、制御部１４０が、機能の動作を制限していない場合、動作制限を解除する対象機能がないため、制御部１４０は、解除処理を行わない。
【００６８】
また、ステップＳ１２にて、当日に計測部１２０が計測した歩数が、記憶部１３０に記憶されている歩数目標値（閾値）以上ではない場合も、制御部１４０は、機能の動作の制限を解除しない。
【００６９】
図９は、図１に示した情報処理装置１００における情報処理方法のうち、制限されている機能の制限を解除する処理の第２の例を説明するためのフローチャートである。
【００７０】
まず、情報処理装置１００を所持する利用者の、情報処理装置１００に対する操作を、機能部１１０が検出したら、制御部１４０が、その時点で、機能部１１０に具備された機能の動作を制限しているかどうかを判定する（ステップＳ２１）。この機能の動作制限は、前日に計測された歩数に基づくものや、あらかじめ設定された機能の制限に基づくものである。
【００７１】
制御部１４０が、機能の動作を制限している場合、計測部１２０が計測（カウント）している歩数を前日分の歩数としてカウントする（ステップＳ２２）。つまり、制御部１４０は、計測部１２０が前日に計測した歩数と、当日に計測している歩数とを加算する。
【００７２】
そして、その加算した歩数が、記憶部１３０に記憶されている歩数目標値（閾値）以上かどうかを制御部１４０が判定する（ステップＳ２３）。
【００７３】
加算した歩数が、記憶部１３０に記憶されている歩数目標値（閾値）以上である場合、現在制限されている機能の動作の制限を制御部１４０が解除する（ステップＳ２４）。例えば、ブラウザ機能が制限されている状態で、加算した歩数が、ブラウザ機能に応じた閾値以上である場合、制御部１４０は、ブラウザ機能の動作の制限を解除する。
【００７４】
一方、ステップＳ２１にて、制御部１４０が、機能の動作を制限していない場合、計測部１２０が計測している歩数を、制御部１４０は当日分の歩数としてカウントする（ステップＳ２５）。
【００７５】
また、ステップＳ２３にて、加算した歩数が、記憶部１３０に記憶されている歩数目標値（閾値）以上ではない場合は、制御部１４０は、機能の動作の制限を解除しない。
【００７６】
また、ステップＳ２４にて制御部１４０が機能制限状態を解除した以降は、計測部１２０が計測した歩数を、ステップＳ２５にて、制御部１４０は、当日分としてカウントする。
【００７７】
また、図８に示したステップＳ１２の処理にて、前日の歩数実績があらかじめ設定した前日の歩数目標値以上であるかどうかを判定するものであっても良い。また、ステップＳ２２の処理も、計測部１２０が計測した当日分の歩数をカウントとし、ステップＳ２３の処理を、前日の歩数実績とその時点での当日の歩数実績との合計があらかじめ設定した前日の歩数目標値以上であるかどうかを、制御部１４０が判定するようにしても良い。
【００７８】
また、図８に示したステップＳ１２の処理において、機能制限状態を解除するための歩数目標値を別に設定可能なようにし、計測部１２０が計測した当日の歩数が、その歩数目標値に達したら、制御部１４０が機能制限状態を解除するようにしても良い。この場合に、機能制限状態の解除までに要した歩数に関しては、当日分としてカウントするか否かは利用者が選択可能となるようにしても良い。
【００７９】
以上説明したように、本発明においては、以下に記載するような効果を奏する。
【００８０】
利用者が情報処理装置にあらかじめ設定する１日の歩数目標値を達成できなかった場合、翌日に使用できる機能に一部制限が掛かるようになるため、利用者が歩数目標値を達成しようとする意欲が高まり、継続的に運動不足を解消する手助けとなることが期待できる。
【００８１】
また、前日に歩数目標値を達成できなかった場合でも、当日に機能制限状態を解除する手段を設けたため、例えば、早朝にランニングやウォーキングをしてから出掛けるとか、一駅分歩いて出掛けるといったことが習慣となり、運動不足の解消につながることが期待できる。
【００８２】
上述した情報処理装置１００に設けられた各構成要素が行う処理は、目的に応じてそれぞれ作製された論理回路で行うようにしても良い。また、処理内容を手順として記述したコンピュータプログラム（以下、プログラムと称する）を情報処理装置１００にて読取可能な記録媒体に記録し、この記録媒体に記録されたプログラムを情報処理装置１００に読み込ませ、実行するものであっても良い。情報処理装置１００にて読取可能な記録媒体とは、フロッピー（登録商標）ディスク、光磁気ディスク、ＤＶＤ、ＣＤなどの移設可能な記録媒体の他、情報処理装置１００に内蔵された記憶部１３０、ＲＯＭ、ＲＡＭ等のメモリやＨＤＤ等を指す。この記録媒体に記録されたプログラムは、情報処理装置１００に設けられた制御部１４０にて読み込まれ、制御部１４０の制御にて、上述したものと同様の処理が行われる。ここで、制御部１４０は、プログラムが記録された記録媒体から読み込まれたプログラムを実行するコンピュータとして動作するものである。
【符号の説明】
【００８３】
１００    情報処理装置
１１０    機能部
１１１    通話機能
１１２    メール機能
１１３    ＴＶ電話機能
１１４    ブラウザ機能
１１５    カメラ機能
１１６    ゲーム機能
１１７    音楽再生機能
１１８    目覚まし機能
１１９    ＧＰＳ機能
１２０    計測部
１３０    記憶部
１４０    制御部
【図１】
2013045221.tif 000003
【図２】
2013045221.tif 000004
【図３】
2013045221.tif 000005
【図４】
2013045221.tif 000006
【図５】
2013045221.tif 000007
【図６】
2013045221.tif 000008
【図７】
2013045221.tif 000009
【図８】
2013045221.tif 000010
【図９】
2013045221.tif 000011